(57)【要約】【課題】壁面に対してパネルを、容易な作業で堅固に取り付けられるようにする。【解決手段】壁面Ｗに固定される固定部材１とこれに結合される締付部材２とを備え、パネルＰを固定部材１と締付部材２との間に挟み込んで壁面Ｗに取り付けるパネル取付具において、前記締付部材２は、パネルＰの前面側の摘み部２１から壁面Ｗ側である後方へ円筒部２２が延びるものとされ、円筒部２２には、後端の開口側から前方へかけて内周に雌ねじ２３が形成され、固定部材１には、内部から前方へ延びるねじ軸１３が設けられると共に、ねじ軸１３の周囲に前端で開口する嵌合凹部１４が形成された構成とする。パネルＰに穿設した貫通穴ｈにねじ軸１３を挿入し、円筒部２２の内周の雌ねじ２３をねじ軸１３に螺合させ、締付部材２をねじ込むと、円筒部２２がパネルＰの貫通穴ｈを介して嵌合凹部１４に嵌まり込み、ねじ軸１３と雌ねじ２３とが十分な長さに亘って螺合する。【選択図】図４
2014228773.tif 000002
【特許請求の範囲】
【請求項１】
壁面(W)に固定される固定部材(1)とこれに結合される締付部材(2)とを備え、パネル(P)を固定部材(1)と締付部材(2)との間に挟み込んで壁面(W)に取り付けるパネル取付具において、前記締付部材(2)は、パネル(P)の前面側の摘み部(21)から壁面(W)側である後方へ円筒部(22)が延びるものとされ、この円筒部(22)には、後端の開口側から前方へかけて内周に雌ねじ(23)が形成され、前記固定部材(1)には、内部から前方へ延びるねじ軸(13)が設けられると共に、ねじ軸(13)の周囲に前端で開口する嵌合凹部(14)が形成され、パネル(P)に穿設した貫通穴(h)にねじ軸(13)を挿入した状態で、締付部材(2)の円筒部(22)の内周の雌ねじ(23)をねじ軸(13)に螺合させ、締付部材(2)をねじ込むと、円筒部(22)がパネル(P)の貫通穴(h)を介して嵌合凹部(14)に嵌まり込むことを特徴とするパネル取付具。
【請求項２】
前記固定部材(1)には、外周面から嵌合凹部へ連通する横ねじ穴(15)が形成され、この横ねじ穴(15)に横ビス(16)をねじ込むと、横ビス(16)が締付部材(2)の円筒部(22)の外周に押し付けられて、締付部材(2)の回転が阻止されることを特徴とする請求項１に記載のパネル取付具。
【請求項３】
前記固定部材(1)の周壁には、壁面(W)に固定される固定部(1a)に対して周方向へ回転可能な回転部(1b)が設けられ、この回転部(1b)に前記横ねじ穴(15)が設けられていることを特徴とする請求項２に記載のパネル取付具。
【発明の詳細な説明】
【技術分野】
【０００１】
この発明は、店舗、事務所等のサインパネルや各種掲示パネルを壁面に取り付けるパネル取付具に関するものである。
【背景技術】
【０００２】
従来、この種のパネル取付具として、図１２及び図１３に示すように、壁面Ｗに固定される固定部材５１とこれに螺合する締付部材５２とを備え、パネルＰを固定部材５１と締付部材５２との間に挟み込んで壁面Ｗに取り付けるものが使用されている。なお、パネルＰとして、２枚の透明板でその間にポスター等を挟み込むものを図示している。
【０００３】
このパネル取付具では、方向表記として、パネルＰの前面を見る視点側を前方とし、壁面Ｗ側を後方としたとき、まず、円筒状の固定部材５１の裏側からねじ軸５３を前方へ突出させた状態で、固定部材５１にねじ軸５３を固定する。そして、円盤状の取付座６１をタッピングねじ６２により壁面Ｗに固定し、取付座６１の外周の雄ねじに固定部材５１の内周の雌ねじを螺合させて、固定部材５１を壁面Ｗに固定する。
【０００４】
次に、パッキン５４を固定部材５１の前端面に沿うようにねじ軸５３に嵌め、パネルＰに予め穿設した貫通穴ｈにねじ軸５３を挿通し、さらに、パッキン５５をパネルＰの貫通穴ｈの周囲前面に沿うようにねじ軸５３に嵌め、締付部材５２の裏面に形成されたねじ穴５６にねじ軸５３を螺合させて、締付部材５２を締め付ける。
【０００５】
上記施工に際しては、パネルＰの貫通穴ｈにねじ軸５３を挿通すると、パネルＰが支持されるので、締付部材５２を締め付ける際、パネルＰが落下しないように支えておく必要がなく、一人でもパネルＰの取付作業を行うことができる。
【０００６】
ところで、上記パネル取付具では、ねじ軸５３と締付部材５２のねじ穴５６との螺合長さを確保するため、パネルＰの厚さに応じて、異なる長さの複数のねじ軸５３を用意しなければならないという不便があり、このような不便を解消すべく、下記特許文献１においては、固定部材からのねじ軸の突出長さを任意に変化させて、調整リングをねじ軸に螺合させ、いわゆるダブルナット構造により、ねじ軸をその位置に固定できるようにしたパネル取付具が提案されている。
【先行技術文献】
【特許文献】
【０００７】
【特許文献１】特許第３３６４１７９号公報
【発明の概要】
【発明が解決しようとする課題】
【０００８】
しかしながら、上記のようにねじ軸の突出長さを調整できるようにしたパネル取付具では、施工に際し、固定部材の端面に没入させた調整リングを、専用の工具を使用して締め付ける等の作業が必要となり、多大な手間を要するという問題がある。
【０００９】
また、ねじ軸の突出長さが不十分な場合、締付部材とねじ軸とが十分に螺合しない場合もあり、締付部材が少し緩むと外れてしまうおそれがある。
【００１０】
そこで、この発明は、パネル取付具を使用して壁面にパネルを取り付ける際、現場で容易に施工でき、かつ、堅固に取り付けられるようにすることを課題とする。
【課題を解決するための手段】
【００１１】
上記課題を解決するため、この発明は、壁面に固定される固定部材とこれに結合される締付部材とを備え、パネルを固定部材と締付部材との間に挟み込んで壁面に取り付けるパネル取付具において、前記締付部材は、パネルの前面側の摘み部から壁面側である後方へ円筒部が延びるものとされ、この円筒部には、後端の開口側から前方へかけて内周に雌ねじが形成され、前記固定部材には、内部から前方へ延びるねじ軸が設けられると共に、ねじ軸の周囲に前端で開口する嵌合凹部が形成され、パネルに穿設した貫通穴にねじ軸を挿入した状態で、締付部材の円筒部の内周の雌ねじをねじ軸に螺合させ、締付部材をねじ込むと、円筒部がパネルの貫通穴を介して嵌合凹部に嵌まり込む構成を採用したのである。
【００１２】
また、前記固定部材には、外周面から嵌合凹部へ連通する横ねじ穴が形成され、この横ねじ穴に横ビスをねじ込むと、横ビスが締付部材の円筒部の外周に押し付けられて、締付部材の回転が阻止される構成を採用したのである。
【００１３】
また、前記固定部材の周壁には、壁面に固定される固定部に対して周方向へ回転可能な回転部が設けられ、この回転部に前記横ねじ穴が設けられた構成を採用したのである。
【発明の効果】
【００１４】
この発明に係るパネル取付具では、壁面に固定される固定部材側のねじ軸に締付部材をねじ込むと、締付部材の円筒部がねじ軸に対して螺進し、円筒部がパネルの貫通穴を介して嵌合凹部に嵌まり込むことから、ねじ軸と締付部材との螺合長さを十分に確保することができ、様々な厚さのパネルを、長さの異なる複数のねじ軸を用意したり、特殊な工具を使用したりすることなく、壁面に確実かつ容易に取り付けることができる。
【００１５】
また、固定部材に形成した横ねじ穴に横ビスをねじ込んで、横ビスを締付部材の円筒部の外周に押し付け、締付部材の回転を阻止することにより、パネル取付状態において、締付部材の緩みを防止し、締付部材を取り去るいたずらを防止することができる。
【００１６】
また、横ビスをねじ込む横ねじ穴を、固定部材の周方向に回転可能な回転部に設けることにより、現場での施工に際し、横ビスを工具で回しやすい方向へ向けることができ、施工の容易性を向上させることができる。
【図面の簡単な説明】
【００１７】
【図１】この発明の第１実施形態に係るパネル取付具による壁面へのパネル取付状態を示す全体斜視図
【図２】同上の分解斜視図
【図３】同上の（ａ）固定部材の壁面への固定状態を示す縦断側面図、（ｂ）パネルの貫通穴を介して締付部材の円筒部を嵌合凹部に嵌める過程を示す縦断側面図
【図４】同上のパネルの壁面への取付状態を示す斜視図
【図５】同上の（ａ）２枚とも標準の厚さのパネルの壁面への取付状態を示す縦断側面図、（ｂ）前面側が厚いパネルの壁面への取付状態を示す縦断側面図
【図６】この発明の第２実施形態に係るパネル取付具による壁面へのパネル取付状態を示す斜視図
【図７】この発明の第３実施形態に係るパネル取付具による壁面へのパネル取付状態を示す全体斜視図
【図８】同上の分解斜視図
【図９】同上の（ａ）固定部材の壁面への固定状態を示す縦断側面図、（ｂ）パネルの貫通穴を介して締付部材の円筒部を嵌合凹部に嵌める過程を示す縦断側面図
【図１０】同上のパネルの壁面への取付状態を示す斜視図
【図１１】同上の（ａ）２枚とも標準の厚さのパネルの壁面への取付状態を示す縦断側面図、（ｂ）前面側が厚いパネルの壁面への取付状態を示す縦断側面図
【図１２】従来のパネル取付具による壁面へのパネル取付過程を示す斜視図
【図１３】同上のパネル取付状態を示す斜視図
【発明を実施するための形態】
【００１８】
この発明に係るパネル取付具の第１実施形態を図１乃至図５に基づいて説明する。
【００１９】
図１に示すように、このパネル取付具は、パネルＰを壁面Ｗに取り付けるために使用するものであり、亜鉛ダイキャストや真鍮等の金属製の固定部材１と締付部材２とを備えたものとされている。パネルＰの壁面Ｗへの取り付けに際しては、通常、四隅部分を壁面Ｗに固定するため、４個のパネル取付具が使用される。なお、以下の方向表記は、パネルＰの前面を見る視点側を前方とし、壁面Ｗ側を後方とする。
【００２０】
図２に示すように、固定部材１は、外形が円筒状で、その後端で開口する内部空間に大径の雌ねじ１１が形成され、この雌ねじ１１には、壁面Ｗにタッピングねじ３２により固定される円盤状の取付座３１の外周の雄ねじが螺合する。
【００２１】
固定部材１の内部には、小径の雌ねじ１２が形成され、この雌ねじ１２には、ねじ軸１３が後方から前方へ突出するようにねじ込まれる。ねじ軸１３は、固定部材１と別体のボルトを例示しているが、固定部材１に一体化されたものとしてもよい。
【００２２】
固定部材１の前側部分には、雌ねじ１２に連通して前端で開口する嵌合凹部１４が形成され、この嵌合凹部１４は、雌ねじ１２よりも大径とされている。また、固定部材１の前面側には、パネルＰの後面との間に挟まれるパッキン３３が設けられている。
【００２３】
締付部材２は、固定部材１との間にパネルＰを挟み込む際、パネルＰの前面側に位置する摘み部２１から後方へ向けて円筒部２２が延びるものとされ、円筒部２２には、後端の開口側から前方へかけて内周に雌ねじ２３が形成されている。円筒部２２は、パネルＰに穿設された貫通穴ｈよりも若干小径で、貫通穴ｈを介して固定部材１の嵌合凹部１４に嵌まり込むようになっている。
【００２４】
また、摘み部２１の後面において円筒部２２と段差をなす部分には、パネルＰの前面との間に挟まれるパッキン３４が設けられている。
【００２５】
このようなパネル取付具を使用して、パネルＰを壁面Ｗへ取り付けるには、図３（ａ）に示すように、固定部材１において、ねじ軸１３を、雌ねじ１２の後方から前方へねじ込んで突出させる。これにより、ねじ軸１３の周囲に前端で開口する嵌合凹部１４が形成された状態となる。なお、ねじ軸１３は、固定部材１に対して回転しないように、接着剤やビスで固定しておくとよい。
【００２６】
そして、壁面Ｗの所定の位置に、取付座３１をタッピングねじ３２で固定し、取付座３１の外周の雄ねじに固定部材１の内周の雌ねじ１１を螺合させ、このねじの締付により、固定部材１を壁面Ｗに固定する。
【００２７】
次に、図３（ｂ）に示すように、パネルＰに予め穿設した貫通穴ｈにねじ軸１３を挿通する。この状態では、パネルＰがねじ軸１３により支持されるので、締付部材２を締め付けるまでの間、パネルＰが落下しないように支えておく必要がない。
【００２８】
その後、締付部材２の円筒部２２の内周の雌ねじ２３をねじ軸１３に螺合させ、図４及び図５に示すように、締付部材２をねじ込むと、円筒部２２がパネルＰの貫通穴ｈを介して嵌合凹部１４に嵌まり込み、締付部材２を締め付けることにより、パネルＰが固定部材１と締付部材２との間に挟み込まれて、壁面Ｗに固定される。
【００２９】
上記パネル取付具では、壁面Ｗに固定される固定部材１側のねじ軸１３に締付部材２をねじ込むと、締付部材２の円筒部２２がねじ軸１３に対して螺進し、円筒部２２がパネルＰの貫通穴ｈを介して嵌合凹部１４に嵌まり込むことから、ねじ軸１３と締付部材２との螺合長さを十分に確保することができ、様々な厚さのパネルＰを、長さの異なる複数のねじ軸１３を用意したり、特殊な工具を使用したりすることなく、壁面Ｗに確実かつ容易に取り付けることができる。
【００３０】
また、図６に示す第２実施形態のように、固定部材１に、外周面から嵌合凹部へ連通する横ねじ穴１５を形成し、横ねじ穴１５に横ビス１６をねじ込み、横ビス１６が締付部材２の円筒部２２の外周に押し付けられて、締付部材２の回転が阻止されるようにしておくと、パネルＰの取付状態において、締付部材２の緩みを防止し、締付部材２を手で緩めて取り外したり、パネルＰを持ち去ったりするいたずらを防止することができる。
【００３１】
なお、このとき、固体部材１の固定部１ａの取付座３１に対する締め付けを緩めて、固定部材１を壁面Ｗから取り外そうとしても、ねじ軸１３に対して締付部材２が締め付けられることとなり、固定部材１を取り外すことはできない。
【００３２】
次に、この発明に係るパネル取付具の第３実施形態を図７乃至図１１に基づいて説明する。なお、ここでは、上記第１，２実施形態の各部に対応する部材に同一の符号を付し、その詳細な説明を省略する。
【００３３】
図７及び図８に示すように、このパネル取付具の固定部材１の周壁には、壁面Ｗに固定される固定部１ａに対して周方向へ回転可能な回転部１ｂが設けられている。回転部１ｂは、前部及び後部がそれぞれ大径部分及び小径部分とされ、後部の小径部分が固定部１ａの前端で開口した内部空間に挿入されて、固定部１ａと連結される。
【００３４】
そして、回転部１ｂの小径部分のリング溝に嵌められたＯリング１７が固定部１ａの内周に弾力的に当接することにより、固定部１ａに対するがたつきが防止されると共に、回転抵抗が付与されている。
【００３５】
回転部１ｂの内部には、前後方向に貫通して、嵌合凹部１４となる空間が形成され、この嵌合凹部１４が固定部１ａの嵌合凹部１４と連通するようになっている。回転部１ｂの大径部分の周壁には、外周面から嵌合凹部１４に連通する横ねじ穴１５が形成され、横ねじ穴１５には、頭部のない六角穴付きの横ビス１６がねじ込まれる。横ビス１６は、締付部材２の円筒部２２の外周に押し付けられるものである。
【００３６】
このようなパネル取付具を使用して、パネルＰを壁面Ｗへ取り付けるには、図９（ａ）に示すように、固定部材１において、ねじ軸１３を雌ねじ１２の後方から前方へねじ込んで、回転部１ｂの嵌合凹部１４より前方へ突出させた状態で固定する。
【００３７】
そして、壁面Ｗの所定の位置に、取付座３１をタッピングねじ３２で固定し、取付座３１の外周の雄ねじに固定部材１の固定部１ａの内周の雌ねじ１１を螺合させ、このねじの締付により、固定部材１を壁面Ｗに固定する。
【００３８】
次に、図９（ｂ）に示すように、パネルＰに予め穿設した貫通穴ｈにねじ軸１３を挿通すると共に、回転部１ｂの前面とパネルＰとの間にパッキン３３を介在させる。
【００３９】
その後、締付部材２の円筒部２２の内周の雌ねじ２３をねじ軸１３に螺合させ、図１０及び図１１に示すように、締付部材２をねじ込むと、円筒部２２がパネルＰの貫通穴ｈを介して嵌合凹部１４に嵌まり込み、締付部材２を締め付けることにより、ねじ軸１３と円筒部２２の内周の雌ねじ２３とが十分な長さに亘って螺合した状態で、様々な厚さのパネルＰを壁面Ｗに堅固に固定することができる。
【００４０】
また、固定部材１の回転部１ｂに形成した横ねじ穴１５に横ビス１６を六角レンチでねじ込むと、横ビス１６が締付部材２の円筒部２２の外周に押し付けられ、締付部材２の回転が阻止されるので、パネルＰを壁面Ｗに取り付けた状態において、締付部材２の緩みが防止され、締付部材２を手で緩めて取り外したり、パネルＰを持ち去ったりするいたずらを防止することができる。
【００４１】
また、横ビス１６をねじ込む横ねじ穴１５を、固定部材１の周方向に回転可能な回転部１ｂに設けたので、現場での施工に際し、横ビス１６を工具で回しやすい方向へ向けることができ、施工の容易性を向上させることができる。
【００４２】
ところで、上記実施形態に係る図面では、透明な２枚のパネルＰの間にポスター等の掲示物を挟み込んだものを壁面Ｗに取り付ける場合について例示しているが、会社や店舗の名称、図柄等が印刷された１枚のパネルＰを壁面Ｗに取り付ける場合についても同様である。また、パネルＰの四隅を壁面Ｗに固定する場合について例示しているが、パネルＰの一部のみを固定する場合についても同様である。また、壁面Ｗとして、建物の壁面を例示しているが、柱や建具の表面等を壁面としてパネルＰを固定する場合も同様である。
【００４３】
また、上記各実施形態では、固定部材１及び締付部材２の外周形状が円筒状のものについて例示したが、固定部材１及び締付部材２の外周形状は、四角筒状、六角筒状、八角筒状等、様々な形状とすることができる。また、固定部材１及び締付部材２の材質が金属であるものを例示したが、プラスチックを材料として、これらを形成することもできる。
【符号の説明】
【００４４】
Ｗ  壁面
Ｐ  パネル
ｈ  貫通穴
１  固定部材
１ａ  固定部
１ｂ  回転部
２  締付部材
１１，１２  雌ねじ
１３  ねじ軸
１４  嵌合凹部
１５  横ねじ穴
１６  横ビス
１７  Ｏリング
２１  摘み部
２２  円筒部
２３  雌ねじ
３１  取付座
３２  タッピングねじ
３３，３４  パッキン
【図１】
2014228773.tif 000003
【図２】
2014228773.tif 000004
【図３】
2014228773.tif 000005
【図４】
2014228773.tif 000006
【図５】
2014228773.tif 000007
【図６】
2014228773.tif 000008
【図７】
2014228773.tif 000009
【図８】
2014228773.tif 000010
【図９】
2014228773.tif 000011
【図１０】
2014228773.tif 000012
【図１１】
2014228773.tif 000013
【図１２】
2014228773.tif 000014
【図１３】
2014228773.tif 000015